(57)【特許請求の範囲】
【請求項１】
毛髪の蛍光Ｘ線分析に使用されるプレパラート基板であり、
毛髪を張設する穴が開口され、
前記穴を取り囲む周縁部に毛髪の両端を固定して使用され、
前記穴に毛髪を張設した状態で郵送可能であり、
樹脂が利用された基板であることを特徴とするプレパラート基板。
【請求項２】
毛髪の蛍光Ｘ線分析に使用されるプレパラート基板であり、
毛髪を張設する穴が開口され、
前記穴を取り囲む周縁部に毛髪の両端を固定して使用され、
導電性基板であることを特徴とするプレパラート基板。
【請求項３】
請求項１又は２に記載のプレパラート基板と、前記穴を横断するように掛け渡された毛髪と、前記毛髪の両端を前記穴を取り囲む周縁部に固定する固定手段から構成されることを特徴とする毛髪プレパラート。
【請求項４】
請求項３に記載の毛髪プレパラートを配置し、前記毛髪プレパラートの毛髪に入射Ｘ線を照射するＸ線源と、前記毛髪から放出される蛍光Ｘ線を検出する検出器を少なくとも有することを特徴とする毛髪蛍光Ｘ線装置。
【発明の詳細な説明】
【技術分野】
【０００１】
本発明は、蛍光Ｘ線分析により毛髪の元素分布を導出するときに使用されるプレパラート基板に関し、更にプレパラート基板に毛髪を固定した毛髪プレパラート及び毛髪プレパラートを配置した毛髪蛍光Ｘ線装置に関する。
【背景技術】
【０００２】
従来から毛髪の元素分析を行って体調診断を行う各種の特許文献が知られている。従来の特許第４０６５７３４号公報（特許文献１）では、毛髪又は体毛の毛根に含有されているカルシウムを検出し、検出したカルシウムの含有比率が、健常人の含有比率と比較して高い場合に精密検査の指標となる体調の検査方法が開示されている。
【０００３】
また、従来の特許第４６１２３５５号公報（特許文献２）では、被検者の毛髪又は体毛を元素分析し、前記毛髪又は体毛のＣａ濃度をＣａ不足又はＣａ充足にそれぞれ対応するＣａ濃度の高いレベル又は低いレベルと比較し、前記比較から前記被検者のカルシウム代謝異常の検出を行う毛髪又は体毛によるカルシウム代謝異常の検出方法が開示されている。
【０００４】
特に、特許文献１及び特許文献２の両者は、毛髪の元素分析を行うときに、ＳＰＲＩＮＧ−８等の放射光施設を使用し、Ｘ線領域の放射光を入射Ｘ線として毛髪に照射し、毛髪から発生する蛍光Ｘ線により毛髪に含まれる元素の分布を導出している。放射光は強度が極端に大きいためにサイズの小さな毛髪でも蛍光Ｘ線分析が短時間で終了し、元素分布を容易に導出できる長所を有している。
しかしながら、放射光施設は共同利用の大型施設であり、施設を継続的に利用できるとしても短時間であり、多数の毛髪検査を商業的規模で事業実施するには不向きであり、実態としては時間的に不可能と云わざるを得ない。
【０００５】
そこで、近年急速に進歩している卓上型の蛍光Ｘ線分析装置を利用した毛髪の元素分析法が開発されるに至った。従来の特許第５３７２３０４号公報では、蛍光Ｘ線分析装置により、被検者由来の毛髪に含有されるミネラルの、前記毛髪に含有される硫黄に対する信号比率ＰＸＲＦ（Ｓ）を測定し、前記信号比率ＰＸＲＦ（Ｓ）から、前記毛髪に含有される前記ミネラルの元素含有率ＭＸＲＦを算出する為に、この算出に使用する変換係数Ｆを、前記信号比率ＰＸＲＦ（Ｓ）と乗算する生体内元素検査方法であって、前記蛍光Ｘ線分析により、前記被検者以外から由来する毛髪である基準毛髪に含有される前記ミネラルの、前記基準毛髪に含有される前記硫黄に対する基準信号比率Ｐ０，ＸＲＦ（Ｓ）を測定し、誘導結合プラズマ質量分析により、前記基準毛髪に含有される前記ミネラルの基準元素含有率Ｍ０、ＩＣＰを測定し、Ｆ＝Ｍ０、ＩＣＰ／Ｐ０、ＸＲＦ（Ｓ）の式から、前記変換係数Ｆを算出する生体内元素検査方法が開示されている。
【先行技術文献】
【特許文献】
【０００６】
【特許文献１】特許第４０６５７３４号公報
【特許文献２】特許第４６１２３５５号公報
【特許文献３】特許第５３７２３０４号公報
【発明の概要】
【発明が解決しようとする課題】
【０００７】
特許文献３の技術は本願発明者等が開発した発明であり、本願発明者等は本願の図６に示す方法を用いて毛髪の蛍光Ｘ線分析を行った。
プレパラート基板１０１はアクリル製の樹脂基板であり、検査対象である毛髪１１１をプレパラート基板１０１の上に接触状態で配置する。次に、毛髪１１１の両端を粘着テープ１１２、１１２により接着し、毛髪１１１を緊張状態に張設した毛髪プレパラート１１０を作成した。更に、この毛髪１１１にＸ線源１２０から入射Ｘ線１２１を低角度で照射し、入射Ｘ線１２１がプレパラート基板１０１により全反射して、反射Ｘ線１２５も低角度で反射して放出される。毛髪１１１から蛍光Ｘ線１２３は上方に放射され、この蛍光Ｘ線１２３を検出器１３０で検出して、毛髪１１１の蛍光Ｘ線分析が行われた。
【０００８】
この研究を反復する中で、本願発明者等は、蛍光Ｘ線分析で得られる毛髪の元素分布に毛髪に元来含まれるはずが無い不純物元素が混入したり、毛髪に含まれる元素であっても異常にピーク値が高くなる事実を発見するに至った。この原因を追及する中で、毛髪をアクリル製のプレパラート基板に固定するときに、毛髪とプレパラート基板が相互に摩擦しあって毛髪が帯電し、空気中に浮遊する不純物元素やプレパラート基板表面に滞留する不純物元素が毛髪に静電吸着され、それらの不純物元素が元素分布に混入する事実を確認するに至った。しかも、全反射蛍光Ｘ線分析を行っても、プレパラート基板自体からの蛍光Ｘ線も僅かに混入する結果、不純物元素が増大することが分かった。
全反射型で無い蛍光Ｘ線分析装置を用いた場合には、入射Ｘ線がプレパラート基板を透過したり、プレパラート基板に浸入して反射したりするため、プレパラート基板自体から不純物蛍光Ｘ線が大量に放射され、毛髪からの蛍光Ｘ線の中に不純物蛍光Ｘ線がかなり含まれ結果、元素分布に大量の不純物元素が混入して毛髪の正確な元素分布の判断に間違いが生じる原因となっていた。
【課題を解決するための手段】
【０００９】
従って、本発明の第１の目的は、毛髪とプレパラート基板との相互摩擦による摩擦帯電を無くし、しかもプレパラート基板自体からの蛍光Ｘ線も発生させないプレパラート基板を提供し、このプレパラート基板を使用した毛髪プレパラートを提供することである。また、本発明の第２の目的は、サンプルである毛髪の高さ調整や位置調整、入射Ｘ線の入射角度調整等が容易になるプレパラート基板を提供することである。本発明の第３の目的は、前記毛髪プレパラートを蛍光Ｘ線装置内に配置して元素分析精度の高い毛髪蛍光Ｘ線装置を提供することである。
【００１０】
本発明者等は鋭意研究した結果、不純物元素の混入を予防するために、毛髪とプレパラート基板とが相互に摩擦接触することを無くす技術を着想するに至った。理想的には、毛髪を空気中に浮遊させて、浮遊状態の毛髪にＸ線を照射すれば摩擦帯電は生じず、しかもプレパラート基板自体からの蛍光Ｘ線もないはずである。このような浮遊配置に近い状態を実現すればよい。即ち、プレパラート基板に穴を開け、この穴を横断するように毛髪を掛け渡し、毛髪の両端を穴の周縁部に粘着テープなどで固定すれば、毛髪とプレパラート基板とが摩擦し合うことが無くなるから、静電吸着による不純物元素のノイズは除去できる。しかも、入射Ｘ線が照射される毛髪領域には穴があいているから、入射Ｘ線はプレパラート基板には照射されない。従って、プレパラート基板自体からの蛍光Ｘ線も消失させることができる。
【００１１】
本発明は上記課題を解決するために為されたものであり、本発明の第１の形態は、毛髪の蛍光Ｘ線分析に使用されるプレパラート基板であり、前記プレパラート基板に毛髪を張設する穴を開口し、前記穴を取り囲む周縁部に毛髪の両端を固定するプレパラート基板である。
【００１２】
本発明の第２の形態は、前記プレパラート基板が樹脂基板から構成されるプレパラート基板である。
【００１３】
本発明の第３の形態は、第１形態又は第２形態に記載のプレパラート基板と、前記穴を横断するように掛け渡された毛髪と、前記毛髪の両端を前記穴を取り囲む周縁部に固定する固定手段から構成される毛髪プレパラートである。
【００１４】
本発明の第４の形態は、第３形態に記載の毛髪プレパラートを配置し、前記毛髪プレパラートの毛髪に入射Ｘ線を照射するＸ線源と、前記毛髪から放出される蛍光Ｘ線を検出する検出器を少なくとも有する毛髪蛍光Ｘ線装置である。
【発明の効果】
【００１５】
本発明の第１の形態によれば、毛髪の蛍光Ｘ線分析に使用されるプレパラート基板であり、前記プレパラート基板に毛髪を張設する穴を開口し、前記穴を取り囲む周縁部に毛髪の両端を固定するプレパラート基板を提供できる。
プレパラート基板には穴が開いているから、この穴に試料である毛髪を掛け渡して毛髪の両端を周縁部に固定すれば、毛髪と穴の間には摩擦が生じない。従って、毛髪は摩擦帯電することが無いから、空気中の不純物元素を静電吸着することが無くなり、蛍光Ｘ線分析を行っても不純物元素がノイズとして混入することが無い。また、毛髪に入射Ｘ線を照射しても、毛髪の下側には穴しかないので、プレパラート基板からの蛍光Ｘ線が発生せず、プレパラート基板からの蛍光Ｘ線がノイズとして混入することが無くなるから、毛髪の元素分布を正確に精度よく導出することが可能になる。
また、プレパラート基板に穴があるから、プレパラート基板を上から見ても下から見ても、穴を通して前方を見ることができ、プレパラート基板の上下調整が容易になる。また、毛髪が穴に掛け渡されて浮遊した状態にあるから、毛髪に照射される入射Ｘ線の入射角度調整も容易になる利点がある。総じて、Ｘ線の調整効率が良くなる。
穴の形状については、丸形、四角形、三角形など種々の形状を採用できるが、回転対称性が一番高い円形が最も好適である。
【００１６】
本発明の第２の形態によれば、前記プレパラート基板が樹脂基板から構成されるプレパラート基板である。樹脂から基板を成形すると、樹脂は柔軟性を有するから、穴を開ける途中でプレパラート基板が割れたり、欠けたりする危険性が少なく、穴を安全に開け易い利点がある。
また、樹脂基板の中でも透明樹脂基板が効果的である。透明樹脂基板を介して前方や後方が透いて見えるから位置調整や入射Ｘ線の入射角度調整などが容易に行える利点を有する。透明樹脂には、ポリエチレン、ポリプロピレン、ポリエチレンテレフタレート、塩化ビニール、ポリスチレン、ＡＢＳ樹脂、アクリル、メタクリア、ポリアミド、ポリカポネード、四フッ化エチレン、エチレン酸ビコポリマー、フィノール樹脂、メラミン、不飽和ポリエステル、エポキシ等があるが、これ以外の透明樹脂も利用できる。
【００１７】
本発明の第３の形態によれば、第１形態又は第２形態に記載のプレパラート基板と、前記穴を横断するように掛け渡された毛髪と、前記毛髪の両端を前記穴を取り囲む周縁部に固定する固定手段から構成される毛髪プレパラートを提供できる。
毛髪をサンプルとして本発明のプレパラート基板に固定するには、まず毛髪の一端をプレパラート基板の穴を取り囲む周縁部に固定する。固定手段として粘着テープが有効であるが、瞬間接着剤でもよいし、周縁部に切り込まれたスリットに引っ掛けてもよいなど、種々の固定手段がある。一端を固定したら、毛髪をピンと緊張させた状態（張設状態）で他端を周縁部に固定する。他端の固定も粘着テープ、瞬間接着剤、スリットに引っ掛けるなどの種々の固定手段が利用できる。
このように、本発明のプレパラート基板にサンプルである毛髪を張設した毛髪プレパラートは、蛍光Ｘ線分析に際し有効である。全国からサンプルである毛髪を郵送すると、毛髪自体が微細であるため途中で消失する危険性がある。そこで、被験者が自分の毛髪をプレパラート基板に装着した毛髪プレパラートを作成し、この毛髪プレパラートを分析機関に郵送すれば、毛髪サンプルが消失する危険性は極めて低くなる。毛髪プレパラートは一定の大きさを有するから自然に消失してしまうことは極めて少ないから、安心である。しかも、分析機関では毛髪プレパラートを作成する手間が省け、送られてきた毛髪プレパラートを直ちに蛍光Ｘ線分析に掛けることができる利点がある。
【００１８】
本発明の第４の形態によれば、第３形態に記載の毛髪プレパラートを配置し、前記毛髪プレパラートの毛髪に入射Ｘ線を照射するＸ線源と、前記毛髪から放出される蛍光Ｘ線を検出する検出器を少なくとも有する毛髪蛍光Ｘ線装置を提供できる。
前述したように、本発明の毛髪プレパラートでは、掛け渡された毛髪の下部には穴が開口されており、入射Ｘ線は上方から毛髪に照射されて透過Ｘ線は穴を通過してもよいし、また入射Ｘ線は下方から穴を通過して毛髪に照射され透過Ｘ線は上方へと逃げ去ってもよく、更に基板に対し極めて低角度で毛髪に照射され透過Ｘ線は反射Ｘ線として極めて低角度で反射してもよく、また更には鋭角度で毛髪に入射されてもよい等、種々の形態をとることができる。しかも、毛髪の下部は穴が開いており、この穴を視認しながら入射Ｘ線の入射角度を調整でき、プレパラート基板の高さ調整や位置調整が容易になり、蛍光Ｘ線装置として独特の利点を有するものである。
【図面の簡単な説明】
【００１９】
【図１】図1は、本発明に係るプレパラート基板において各種形状の穴が開口された状態を示す斜視図である。
【図２】図２は、本発明に係るプレパラート基板の穴に毛髪を張設固定した各種の毛髪プレパラートの斜視図である。
【図３】図３は、本発明に係る毛髪プレパラートの毛髪に対し低角度で入射Ｘ線を照射して、上方へ放射される蛍光Ｘ線を検出する毛髪蛍光Ｘ線装置の概略説明図である。
【図４】図４は、本発明に係る毛髪プレパラートの毛髪に対し高角度で入射Ｘ線を照射して、高角度で上方に放射される蛍光Ｘ線を検出する毛髪蛍光Ｘ線装置の概略説明図である。
【図５】図５は、本発明に係る毛髪プレパラートの毛髪に対し下方から穴を透過して入射Ｘ線を照射して、高角度で下方に放射される蛍光Ｘ線を検出する毛髪蛍光Ｘ線装置の概略説明図である。
【図６】図６は、従来の穴無しプレパラート基板に毛髪を貼り付けて、毛髪に対し超低角度で入射Ｘ線を照射して上方へ放射される蛍光Ｘ線を検出する全反射型蛍光Ｘ線装置の概略説明図である。
【発明を実施するための形態】
【００２０】
以下に、本発明に係るプレパラート基板、毛髪プレパラート及び毛髪蛍光Ｘ線装置の実施形態を図面に従って詳細に説明する。
図1は、本発明に係るプレパラート基板において各種形状の穴が開口された状態を示す斜視図である。穴の形状は特に限定されないが、典型例として（１Ａ）〜（１Ｃ）を次に示す。具体的には、（１Ａ）は、中央に丸形の穴３を開口したプレパラート基板１の斜視図である。穴３を取り囲んで周縁部５が形成されており、この周縁部５に後述する毛髪の両端が固定される。（１Ｂ）は、中央に四角形の穴３を開口したプレパラート基板１の斜視図である。穴３を取り囲んで周縁部５が形成され、この周縁部５に後述する毛髪の両端が固定される。（１Ｃ）は、中央に三角形の穴３を開口したプレパラート基板１の斜視図である。穴３を取り囲んで周縁部５が形成され、この周縁部５に後述する毛髪の両端が固定される。
【００２１】
プレパラート基板１の材質は特に限定されないが、穴３を開口するときにプレパラート基板が割れたり、開口した穴の周りが欠けたりしない材質が選択される。また、プレパラート基板１として、透明基板が推奨される。透明基板では、基板を透かして前方や後方の状態が確認でき、プレパラート基板の高さ調整や位置調整が容易になり、入射Ｘ線の入射方向も透かして調整できるから調整効率が良い利点がある。更に、摩擦帯電し難い/又はしない材質が望まれ、金属基板や導電性樹脂基板が良い。従って、価格的に安価なのは柔軟性がある樹脂基板で、また透明樹脂基板が良く、更には導電性透明樹脂基板が最も良い。ガラスやセラミック等の無機基板は割れ欠けの無い開口法で穴が形成される。金属基板は穴の開口時に割れ欠けせず、しかも導電性があるが、不透明の弱点がある。
【００２２】
樹脂基板としては、現有の全ての樹脂が利用される。特に、透明樹脂としては、ポリエチレン、ポリプロピレン、ポリエチレンテレフタレート、塩化ビニール、ポリスチレン、ＡＢＳ樹脂、アクリル、メタクリア、ポリアミド、ポリカポネード、四フッ化エチレン、エチレン酸ビコポリマー、フィノール樹脂、メラミン、不飽和ポリエステル、エポキシ等や、これ以外の透明樹脂も利用できる。導電性樹脂としては、ポリチオフェン系樹脂、ポリアセチレン系樹脂、ポリアニリン系樹脂、ポリピロール系樹脂が利用できる。
【００２３】
図２は、本発明に係るプレパラート基板の穴に毛髪を張設固定した各種の毛髪プレパラートの斜視図である。
典型例として（１Ａ）〜（１Ｃ）を次に示す。具体的には、（１Ａ）は、中央に丸形の穴３を開口したプレパラート基板１を用いた毛髪プレパラート１０を示し、毛髪１１の両端が粘着テープからなる固定手段１２により周縁部５、５で張設状態で固定されている。（１Ｂ）は、中央に四角形の穴３を開口したプレパラート基板１を用いた毛髪プレパラート１０を示し、毛髪１１の両端が瞬間接着剤からなる固定手段１２により周縁部５、５で張設状態に固定されている。（１Ｃ）は、中央に三角形の穴３を開口したプレパラート基板１を用いた毛髪プレパラート１０を示し、毛髪１１の両端がコ字型針のステープルからなる固定手段１２により周縁部５、５で張設状態で固定されている。従って、固定手段１２としては種々存在し、上記以外の固定手段も本発明には包含される。
以上のように、毛髪１１の両端が固定手段１２により周縁部５、５で固定され、毛髪１１は穴３に掛け渡された状態でピンと張設されている。従って、毛髪１１は周縁部５以外ではプレパラート基板１と接触しておらず、毛髪１１が擦過により摩擦帯電することは物理的に回避できる。また、穴３を通して入射Ｘ線を出し入れできるため、プレパラート基板１からの蛍光Ｘ線は遮断され、毛髪１１以外の蛍光Ｘ線は遮断され、不純物元素が元素分布に含まれない為、毛髪１１の正確で精密な元素分布を導出できる。
【００２４】
図３は、本発明に係る毛髪プレパラートの毛髪に対し低角度で入射Ｘ線を照射して、上方へ放射される蛍光Ｘ線を検出する毛髪蛍光Ｘ線装置の概略説明図である。
本発明の第１形態に係る毛髪蛍光Ｘ線装置４０は、装置内に配置された毛髪プレパラート１０と、この毛髪１１に入射Ｘ線２１を照射するＸ線源２０と、毛髪１１から放射された蛍光Ｘ線２３を入射させて検出する検出器３０から構成されている。
特に、上記第１形態の蛍光Ｘ線装置は、一般に全反射型蛍光Ｘ線装置と呼ばれているが、穴の開いていないプレパラート基板１を用いたときに、低角度でプレパラート基板１に入射すると、入射Ｘ線２１は基板１で全反射するため、プレパラート基板１からの蛍光Ｘ線は放射され難い特性を有する。しかし、毛髪１１とプレパラート基板１が相互に接触するため、基板１からの蛍光Ｘ線を完全に遮断できるものではなく、プレパラート基板１から若干の蛍光Ｘ線がノイズとして混入する性質を有している。
他方、本実施形態の毛髪蛍光Ｘ線装置４０は、入射Ｘ線２１の入射角度は極めて低角度に設定されるが、入射Ｘ線２１は毛髪１１で反射して反射Ｘ線２５となるか、穴３を透過するだけだからプレパラート基板１に入射せず、プレパラート基板１からの蛍光Ｘ線は全く発生しない。従って、毛髪１１からの蛍光Ｘ線だけが発生し、この蛍光Ｘ線２３だけが検出器３０に入射するから、蛍光Ｘ線２３を分析して得られる毛髪１１の元素分布には不純物元素は含有されず、毛髪１１内の正確な元素分布を導出することができる。
また、蛍光Ｘ線装置を初期調整するときに、穴３を透かして内部構造が確認できるから、入射Ｘ線２１の入射角度の調整や毛髪プレパラート１０の高さ調整と位置調整が容易に行える利点を有する。毛髪１１は穴３と接触していないから、摩擦帯電は無く、毛髪１１は空気中の不純物元素を静電吸着することは無い。従って、本形態の毛髪蛍光Ｘ線装置４０を使用すれば、ノイズをほぼ完全に遮断した蛍光Ｘ線装置４０を提供でき、毛髪１１の元素分布を正確かつ精密に導出できる効果を有する。
【００２５】
図４は、本発明に係る毛髪プレパラートの毛髪に対し高角度で入射Ｘ線を照射して、高角度で上方に放射される蛍光Ｘ線を検出する毛髪蛍光Ｘ線装置の概略説明図である。
図示される本発明の第２形態に係る毛髪蛍光Ｘ線装置４０は、装置内に配置された毛髪プレパラート１０と、この毛髪１１に高角度で入射Ｘ線２１を照射するＸ線源２０と、毛髪１１から高角度に放射された蛍光Ｘ線２３を入射させて検出する検出器３０から構成されている。
第２形態の装置では、穴の開いていないプレパラート基板１を用いると、高角度でプレパラート基板１に入射するから、入射Ｘ線２１は基板１を透過するため、プレパラート基板１から大量の蛍光Ｘ線が放射される弱点を有する。従って、穴無しプレパラート基板からの大量の蛍光Ｘ線がノイズとして混入するため、微細サンプルである毛髪の元素分析がノイズの中に埋没する弱点を有する。
これに対し、本実施形態の毛髪蛍光Ｘ線装置４０では穴有り基板を用いるから、入射Ｘ線２１の入射角度が高角度に設定されて、入射Ｘ線２１が毛髪１１を透過しても、入射Ｘ線２１は穴３を透過するだけだからプレパラート基板１に入射せず、プレパラート基板１からの蛍光Ｘ線は全く発生しない。従って、毛髪１１からの蛍光Ｘ線だけが発生し、この蛍光Ｘ線２３だけが検出器３０に入射するから、蛍光Ｘ線２３を分析して得られる毛髪１１の元素分布には不純物元素は全く含有されず、毛髪１１内の正確な元素分布を導出することができる。
また、第１形態と同様に、蛍光Ｘ線装置を初期調整するときに、穴３を透かして内部構造が確認できるから、入射Ｘ線２１の入射角度の調整や毛髪プレパラート１０の高さ調整と位置調整が容易に行える利点を有する。毛髪１１は穴３と接触していないから、摩擦帯電は無く、毛髪１１は空気中の不純物元素を静電吸着することは無い。従って、本形態の毛髪蛍光Ｘ線装置４０を使用すれば、ノイズをほぼ完全に遮断した蛍光Ｘ線装置４０を提供でき、毛髪１１の元素分布を正確かつ精密に導出できる利点を有する。
【００２６】
図５は、本発明に係る毛髪プレパラートの毛髪に対し下方から穴を透過して入射Ｘ線を照射して、高角度で下方に放射される蛍光Ｘ線を検出する毛髪蛍光Ｘ線装置の概略説明図である。
図示される本発明の第３形態に係る毛髪蛍光Ｘ線装置４０は、装置内に配置された毛髪プレパラート１０と、この毛髪１１に下側からほぼ垂直に入射Ｘ線２１を照射するＸ線源２０と、毛髪１１から下側に高角度に放射された蛍光Ｘ線２３を入射させて検出する検出器３０から構成されている。
第３形態の装置では、穴の開いていないプレパラート基板１を用いると、入射Ｘ線２１は垂直上方へとプレパラート基板１に入射するから、入射Ｘ線２１は基板１を透過するため、プレパラート基板１から大量の蛍光Ｘ線が放射される弱点がある。つまり、穴無しプレパラート基板からの大量の蛍光Ｘ線が下方にノイズとして放射されて毛髪１１からの蛍光Ｘ線に混入し、微細サンプルである毛髪の元素分析がノイズの中に埋没する弱点を有する。
これに対し、本実施形態の毛髪蛍光Ｘ線装置４０では穴有り基板を用いるから、入射Ｘ線２１がほぼ垂直上方に入射し、毛髪１１を透過しても、入射Ｘ線２１は穴３を透過するだけだからプレパラート基板１には入射せず、プレパラート基板１からの蛍光Ｘ線は全く発生しない。従って、毛髪１１からの蛍光Ｘ線だけが発生し、この蛍光Ｘ線２３だけが検出器３０に入射するから、蛍光Ｘ線２３を分析して得られる毛髪１１の元素分布には不純物元素は全く含有されず、毛髪１１内の正確な元素分布を導出することができる。
更に、第１形態と同様に、蛍光Ｘ線装置を初期調整するときに、穴３を透かして内部構造が確認できるから、入射Ｘ線２１の入射角度の調整や毛髪プレパラート１０の高さ調整と位置調整が容易に行える利点を有する。毛髪１１は穴３と接触していないから、摩擦帯電は無く、毛髪１１は空気中の不純物元素を静電吸着することは無い。従って、本形態の毛髪蛍光Ｘ線装置４０を使用すれば、ノイズをほぼ完全に遮断した蛍光Ｘ線装置４０を提供でき、毛髪１１の元素分布を正確かつ精密に導出できる利点を有する。
【００２７】
本発明の穴開きプレパラート基板１を用いると、入射Ｘ線２１の入射方向と蛍光Ｘ線２３の放射方向がどんな配置の従来蛍光Ｘ線装置であっても、毛髪１１の背面は穴３だけであり、プレパラート基板１からの蛍光Ｘ線はほぼ完全に発生せず、毛髪１１からの蛍光Ｘ線だけを検出器３０に入射させることができ、毛髪１１の元素分布を正確且つ精密に測定できる利点を有する。
【００２８】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００２９】
以上詳述したように、本発明に係る穴有りのプレパラート基板、毛髪プレパラート及び毛髪蛍光Ｘ線装置を使用すれば、毛髪の正確且つ精密な元素分布を導出することができ、従来の穴無しプレパラート基板を用いて導出した毛髪の元素分布よりも正確性と精度において格段に優れた元素分布を導出できるようになった。
【符号の説明】
【００３０】
１        プレパラート基板
３        穴
５        周縁部
１０      毛髪プレパラート
１１      毛髪
１２      固定手段
２０      Ｘ線源
２１      入射Ｘ線
２３      蛍光Ｘ線
２５      反射Ｘ線
３０      検出器
４０      毛髪蛍光Ｘ線装置
１０１    プレパラート基板
１１０    毛髪プレパラート
１１１    毛髪
１１２    粘着テープ
１２０    Ｘ線源
１２１    入射Ｘ線
１２３    蛍光Ｘ線
１２５    反射Ｘ線
１３０    検出器
【図１】
0006460559.tif 000002
【図２】
0006460559.tif 000003
【図３】
0006460559.tif 000004
【図４】
0006460559.tif 000005
【図５】
0006460559.tif 000006
【図６】
0006460559.tif 000007